(57)【要約】      （修正有）【課題】スライドさせながら差し込むという操作を必要としないコントローラに対する充電器を提供する。【解決手段】被給電機器に充電用電力を供給する充電器１であって、充電器１は充電器本体２と被給電機器が備える被給電用の電極部に対して着脱可能に構成したアダプタ３を有し、充電器本体２は、アダプタ３を装着した被給電機器を載置可能に構成するとともに、当該載置した被給電機器に装着したアダプタ３の一側面に配置した電極と接触可能に構成した給電用の電極１０を有し、アダプタ３は、電極１０との接触によって取得した電力をアダプタ３を装着した被給電機器に対して供給するように構成したことを特徴とする。【選択図】図１
0003221228.tif 000002
【実用新案登録請求の範囲】
【請求項１】
被給電機器に充電用電力を供給する充電器であって、
前記充電器は、充電器本体と前記被給電機器が備える被給電用の電極部に対して着脱可能に構成したアダプタを有し、
前記充電器本体は、前記アダプタを装着した被給電機器を載置可能に構成するとともに、当該載置した被給電機器に装着した前記アダプタの一側面に配置した電極と接触可能に配置した給電電極を有し、
前記アダプタは前記給電電極との接触によって取得した電力を、当該アダプタを装着した前記被給電機器に対して供給するように構成したことを特徴とする充電器。
【請求項２】
前記充電器は、前記アダプタを装着した状態の被給電機器を載置可能に構成した係合凹部を有しており、
前記係合凹部は、前記載置した被給電機器の外形を拘束して位置を固定するように構成したことを特徴とする請求項１記載の充電器。
【請求項３】
前記係合凹部は、前記被給電機器を載置する矩形断面に形成した細長の溝部と、前記アダプタの外形形状に沿った内形形状を有する前記溝部よりも幅を広く深さを深く形成したアダプタ用の凹所を設けたことを特徴とする請求項１又は請求項２記載の充電器。
【請求項４】
前記アダプタ内に磁性体若しくは磁石を設けるとともに、前記アダプタ用の凹所の底面の内部に前記磁性体若しくは磁石を吸着する磁石若しくは磁性体を内在させたことを特徴とする請求項３記載の充電器。
【請求項５】
前記アダプタ用の凹所は前記アダプタ単体でも装着可能であり、当該アダプタは
アダプタ単体で装着した状態において前記被給電機器を着脱可能に装着できる装着口を設けたことを特徴とする請求項１乃至４の何れか１記載の充電器。
【考案の詳細な説明】
【技術分野】
【０００１】
本考案は、携帯機器用の充電器に関するものである。
【背景技術】
【０００２】
現在、様々な形態のテレビゲーム機や携帯型ゲーム機が提供されている。このようなゲーム機には、ゲーム機本体からゲーム操作を行うためのコントローラが着脱可能に外せる特許文献１に記載されているものがある。図８、図９は、このようなゲーム機本体から着脱可能に外せるコントローラの一例を示している。
このコントローラ１００は、片手で握れる程度の大きさに形成された細長い板状の筐体を有している。コントローラ１００の一側面である広い平面部には、ゲーム操作に使用する各種のスイッチ１０１（１０１ａ、１０１ｂ、１０１ｃ、１０１ｄ）、１０２、１０３が設けられている。
【０００３】
コントローラ１００の一側面を構成する細長い矩形の側面には、ゲーム機械本体等に装着するための装着部１０４が設けられている。装着部１０４は板状の接触部１０５を有しており、接触部１０５よりも幅を狭く形成した連結部１０６を介してコントローラ１００に接続されている。
装着部１０４は、接触部１０５と連結部１０６によって逆Ｔ字状の断面形状を有しており、接触部１０５の外面側をゲーム機械本体等に向けて装着されるようになっている。接触部１０５の長手方向に沿った両側縁は、突出した縁部１０７を構成しており、この縁部１０７をゲーム機械本体側に形成した溝に嵌合させることで両者を結合するようになっている。
接触部１０５の長手方向の一方である先端１０９には連結部１０６を設けていない平面部を設けており、その平面部に通信および充電に使用する電極群１１０が設けられている。電極群１１０は、板状の接触部１０５の内面に配置されているので表面からは隠れており、専用の充電器に当該部位を差し込むことによって充電操作を可能にしている。
【先行技術文献】
【特許文献】
【０００４】
【特許文献１】特許第６２３３９４３号公報
【考案の概要】
【考案が解決しようとする課題】
【０００５】
上記形態のコントローラ１００は、ゲーム機械本体に装着して使用されるものであるから両者は強固に固定される必要性がある。このため、アリ溝状の嵌合部位に接触部１０５縁部１０７をスライドさせながら嵌合させるようになっている。このため、接触部１０５を設けた装着部１０４の断面は逆Ｔ字状を成している。また、コントローラ１００は、通信や充電に使用する電極群１１０を表出させずに接触部１０５の内面側に設けている。このため、人体が電極群１１０触れるのを防止できる点で優れているが、充電するためには充電用の電極部を設けたアリ溝状の嵌合部位に、接触部１０５をスライドさせながら差し込まなければならないという課題を有していた。
【０００６】
本考案は、当該課題に鑑み考案したものであって、スライドさせながら差し込むという操作を必要としないコントローラに対する充電器および充電システムを提供することを課題とするものである。
【課題を解決するための手段】
【０００７】
上記課題を解決するために本考案は以下の構成を有する。すなわち、充電器であって、
被給電機器に充電用電力を供給する充電器であって、前記充電器は、充電器本体と前記被給電機器が備える被給電用の電極部に対して着脱可能に構成したアダプタを有し、前記充電器本体は、前記アダプタを装着した被給電機器を載置可能に構成するとともに、当該載置した被給電機器に装着した前記アダプタの一側面に配置した電極と接触可能に配置した給電電極を有し、前記アダプタは前記給電電極との接触によって取得した電力を、当該アダプタを装着した前記被給電機器に対して供給するように構成したことを特徴とする。
【０００８】
また、上記充電器であって、
前記充電器は、前記アダプタを装着した状態の被給電機器を載置可能に構成した係合凹部を有しており、前記係合凹部は、前記載置した被給電機器の外形を拘束して位置を固定するように構成したことを特徴とする。
【０００９】
また、上記充電器であって、
前記係合凹部は、前記被給電機器を載置する矩形断面に形成した細長の溝部と、前記アダプタの外形形状に沿った内形形状を有する前記溝部よりも幅を広く深さを深く形成したアダプタ用の凹所を設けたことを特徴とする。
【００１０】
また、上記充電器であって、
前記アダプタ内に磁性体若しくは磁石を設けるとともに、前記アダプタ用の凹所の底面の内部に前記磁性体若しくは磁石を吸着する磁石若しくは磁性体を内在させたことを特徴とする。
【００１１】
また、上記充電器であって、
前記アダプタ用の凹所は前記アダプタ単体でも装着可能であり、当該アダプタはアダプタ単体で装着した状態において前記被給電機器を着脱可能に装着できる装着口を設けたことを特徴とする。
【考案の効果】
【００１２】
本考案は、充電して使用する被充電機器に対する充電器を提供するものである。特に、充電に使用する電極端子が隠蔽等された機器であって、嵌合構造を有するような当該機器に専用の充電器が必要な被充電機器の場合に、被充電機器に接続するアダプタを取り付けることによって単に載置するだけで充電が可能となるような充電器を提供するものとなっている。
アダプタ自体は被充電機器の電極部を差し込むための装着口と、外側面に露出させた電極を有する簡単な構造の小型、軽量の物品であるので、被充電機器に装着した状態でも邪魔になることはないという効果を有している。
【図面の簡単な説明】
【００１３】
【図１】充電器の外観斜視図である。
【図２】充電器本体に装着されるアダプタの外観斜視図である。
【図３】充電器本体に装着されるアダプタの底面図である。
【図４】充電器本体に装着されるアダプタの断面図である。
【図５】充電器に装着する被充電機器の外観斜視図である。
【図６】充電器に装着する被充電機器を底側から見た状態の外観斜視図である。
【図７】充電器に被充電機器を装着する様子を表した説明図である。
【図８】既存のコントローラの一例を表した説明図である。
【図９】既存のコントローラにおける電極部位の構造を表した説明図である。
【考案を実施するための形態】
【００１４】
以下、本考案を実施するための形態を図を用いて説明する。図１は、本実施の形態に係る充電器１の外観を表している。充電器１は、充電器本体２と充電器本体２に装着するアダプタ３（３ａ、３ｂ、３ｃ、３ｄ）を有している。アダプタ３は、図８、図９に示したコントローラ（被給電機器）１００に装着して使用するものである。充電器１はアダプタ３を装着したコントローラ１００を複数個装着することで、コントローラ１００に対する充電用電力を供給する充電器として機能するものである。
【００１５】
充電器１は、アダプタ３を装着した状態のコントローラ１００を上方から載置可能に構成した複数の係合凹部４（４ａ、４ｂ、４ｃ、４ｄ）を有している。本実施例では、４カ所の係合凹部４ａ、４ｂ、４ｃ、４ｄに対して、４つのコントローラ１００を同時に装着して充電ができるように構成している。なお、コントローラ１００の装着可能数は４つに限らず、１つ若しくは４つ以外の複数個であってもよい。
各係合凹部４は、細幅の板状部として形成されたコントローラ１００接触部１０５を載置できる程度の幅と深さを有する矩形断面の細幅の溝部５（５ａ、５ｂ、５ｃ、５ｄ）として形成されている。これにより、溝部５内に接触部１０５を載置すると接触部１０５の位置が固定される。
【００１６】
各細長の溝部５の一端には、アダプタ３の外形形状に沿った内形形状を有する係合凹所６（６ａ、６ｂ、６ｃ、６ｄ）が設けられている。係合凹所６は、溝部５よりも深く幅が広く形成された凹所となっており、アダプタ３全体をほぼ収容するような形状に形成されている。
溝部５および係合凹所６からなるコントローラ１００の載置部（係合凹部４）は、装着部１０４の端部にアダプタ３を装着したままの状態で、コントローラ１００を収容し、外形を包囲して拘束することで載置した位置を保つようになっている。
【００１７】
接触部１０５は、前述したようにコントローラ１００の長手方向の側縁に沿って配置された板状の部位でありゲーム機に接続する接続部を構成している。そして、この接触部１０５の長手方向の端部付近には電極群１１０が設けられており、ゲーム機との通信や専用の充電器による充電のために使用されるようになっている。この電極群１１０は、接触部１０５の内面側（コントローラ１００の本体側）に面して設けられているため、コントローラ１００外側面には露出していない。
【００１８】
図２はアダプタ３の斜視図、図３はアダプタ３の底面図、図４は図３に示したアダプタ３のＡ−Ａ線断面図を表している。また、図５と図６は、アダプタ３をコントローラ１００に装着した状態を表した斜視図を表している。
アダプタ３は、接触部１０５の端部を差し込む装着口７を有しており、当該装着口７の内部に、コントローラ１００に設けた電極群１１０の各電極と接触可能な複数の電極８が設けられている。電極８は絶縁基板上に形成したパターンとして形成されている。
【００１９】
アダプタ３の装着口７内部の電極８は、コントローラ１００側とは反対側の平面部に露出させた複数の電極９と導通している。電極９は、アダプタ３を係合凹所６に載置した際に、係合凹所６の底面に設けた電極１０と対向し接触可能となるように配置されている。
係合凹所６内の電極１０は、進退可能な接触ピンとして構成されており、アダプタ３を係合凹所６に載置すると後退し、弾性を伴って電極９と接触状態を維持するようになっている。このように係合凹所６内にアダプタ３を装着すると、電極１０から供給される電力を、電極９を介してコントローラ１００の電極群１１０に供給することができるようになり充電器１によるコントローラ１００への充電が可能になる。
【００２０】
コントローラ１００は、アダプタ３の装着口７に装着部１０４の端部を差し込むことでアダプタ３と結合するようになっている。装着部１０４は装着口７に対して抜き差し可能であり、かつ簡単には抜け落ちない程度の結合力で固定されるようになっている。このため、ゲーム機に装着せずコントローラ１００を単体で使用する場合であっても、アダプタ３を取り外す必要がなく、アダプタ３を装着したままゲーム操作を行うことができるようになっている。
また、前述したようにアダプタ３を装着した状態のままコントローラ１００を充電器１の係合凹部４に装着することができるので、充電器１に載置するだけの操作でコントローラ１００に対する充電ができるようになっている。
【００２１】
さらに、図示していないがアダプタ３の内部に磁石を設けており、係合凹所６の底面の内部にも磁石を設けている。各磁石は、アダプタ３を係合凹所６に装着した状態で磁力によって互いに引き合うように構成しており、磁力による結合力によって電極９と電極１０の接続状態を維持するようになっている。
なお、アダプタ３内に磁性体を設けるとともに係合凹所６の底面の内部に磁石を配置してもよく、またアダプタ３内に磁石を設けるとともに係合凹所６の底面の内部に磁性体を配置してもよい。さらに、磁力と併用若しくは磁力に代わる結合手段を設けてもよい。
【００２２】
図７は、コントローラ１００を充電器１に装着する様子を表した説明図である。図中に示したコントローラ１００ａはアダプタ３を装着したものであり、その状態のまま溝部５ａに載置することでコントローラ１００のように充電器１に装着する様子を表している。
また、図７に示したコントローラ１００ｂの場合は、予め充電器１に装着した状態のアダプタ３に、装着部１０４の端部を差し込む様子を表している。すなわち、予めアダプタ３をコントローラ１００ｂに装着していない状態でも、充電器１にアダプタ３を装着しておくことでコントローラ１００を装着する様子を表している。この場合、差し込んだ方向とは反対側にコントローラ１００を引き抜くと、アダプタ３は係合凹所６内に残存しコントローラ１００だけを取り外すことができる。
一方、コントローラ１００を上方に持ち上げると、アダプタ３を装着した状態のコントローラ１００を充電器１から取り外すことができる。このように、コントローラ１００を取り外す角度を変えることによって、アダプタ３を取り外した状態にしたり、アダプタ３を装着したままの状態で取り外した状態にしたりすることができるようになっている。
【００２３】
充電器１は、外部電源を接続するためのコネクタ１１と、外部電源から取得した電力をコントローラ１００用の充電用電力として供給するための制御回路を有しており、電極１０を介して充電用電力を出力するようになっている。また、充電器１から電力を取得するためのＵＳＢコネクタ１２を備えており、ＵＳＢコネクタ１２を介して他の機器に電力を出力することができるようになっている。
【００２４】
本考案に係るアダプタ３を使用する充電器１は、被充電機器（コントローラ１００）の充電用電極が表面側からアクセスできる位置に設けられていないものであっても、着脱可能なアダプタを用いることで、表面側に充電用電極を設けることが可能になっている。
【産業上の利用可能性】
【００２５】
本考案に係る充電器は、ゲーム機用のワイヤレスコントローラの充電に利用可能である。
【符号の説明】
【００２６】
１  充電器
２  充電器本体
３（３ａ、３ｂ、３ｃ、３ｄ）  アダプタ
４（４ａ、４ｂ、４ｃ、４ｄ）  係合凹部
５（５ａ、５ｂ、５ｃ、５ｄ）  溝部
６（６ａ、６ｂ、６ｃ、６ｄ）  係合凹所
７  装着口
８  電極
９  電極
１０  電極
１００  コントローラ（被給電機器）
１０４  装着部
１０５  接触部
１０６  連結部
１０７  縁部
１０９  先端
１１０  電極群
【図１】
0003221228.tif 000003
【図２】
0003221228.tif 000004
【図３】
0003221228.tif 000005
【図４】
0003221228.tif 000006
【図５】
0003221228.tif 000007
【図６】
0003221228.tif 000008
【図７】
0003221228.tif 000009
【図８】
0003221228.tif 000010
【図９】
0003221228.tif 000011
【手続補正書】
【提出日】平成31年3月9日(2019.3.9)
【手続補正１】
【補正対象書類名】実用新案登録請求の範囲
【補正対象項目名】請求項３
【補正方法】変更
【補正の内容】
【請求項３】
前記係合凹部は、前記被給電機器を載置する矩形断面に形成した細長の溝部と、前記アダプタの外形形状に沿った内形形状を有する前記溝部よりも幅を広く深さを深く形成したアダプタ用の凹所を設けたことを特徴とする請求項２記載の充電器。
【手続補正２】
【補正対象書類名】実用新案登録請求の範囲
【補正対象項目名】請求項５
【補正方法】変更
【補正の内容】
【請求項５】
前記アダプタ用の凹所は前記アダプタ単体でも装着可能であり、当該アダプタは
アダプタ単体で装着した状態において前記被給電機器を着脱可能に装着できる装着口を設けたことを特徴とする請求項３または請求項４記載の充電器。